(57)【特許請求の範囲】
【請求項１】
光ファイバ心線をシースで被覆してなる矩形状の光ファイバケーブルの複数個を一列に配列し、それら複数個の光ファイバケーブルを外層外被で一括して被覆し、その外層外被に前記複数個の光ファイバケーブルを両側から挟み込む位置に抗張力体を配置させた偏平光ファイバケーブルであって、
隣接する前記光ファイバケーブル間の少なくとも１ヶ所には、空隙部が形成されており、
前記外層外被のうち壁面に接して配線される壁面側の外層外被には、前記空隙部に突出して前記光ファイバケーブルを位置決めする突起部がケーブル長手方向に形成され、
また、前記壁面と接しない表面側の外層外被には、前記空隙部と対応する位置にノッチを少なくとも１か所以上ケーブル長手方向に形成した
ことを特徴とする偏平光ファイバケーブル。
【請求項２】
請求項１に記載の偏平光ファイバケーブルであって、
前記表面側の外層外被内面には、前記各光ファイバケーブル間に対応した位置に、ノッチを少なくとも１か所以上ケーブル長手方向に形成した
ことを特徴とする偏平光ファイバケーブル。
【請求項３】
請求項１又は請求項２に記載の偏平光ファイバケーブルであって、
前記空隙部及び前記突起部は、隣接する前記光ファイバケーブル間のそれぞれに形成した
ことを特徴とする偏平光ファイバケーブル。
【請求項４】
請求項１から請求項３の何れか１項に記載の偏平光ファイバケーブルであって、
前記突起部の高さＨを、前記光ファイバケーブルの厚みをＴとしたときに、該光ファイバケーブルの角部の半径Ｒに対して、Ｒ＜Ｈ＜（１／２）Ｔなる関係とした
ことを特徴とする偏平光ファイバケーブル。
【請求項５】
請求項１から請求項４の何れか１項に記載の偏平光ファイバケーブルであって、
前記突起部の幅Ｗを、前記光ファイバケーブルの厚みＴに対して（１／２）Ｔ≦Ｗなる関係とした
ことを特徴とする偏平光ファイバケーブル。
【請求項６】
請求項１から請求項５の何れか１項に記載の偏平光ファイバケーブルであって、
前記空隙部に、吸水部材を設けた
ことを特徴とする偏平光ファイバケーブル。
【請求項７】
請求項１から請求項６の何れか１項に記載された偏平光ファイバケーブルを壁面に接して配線した後、
前記外層外被に形成したノッチのうち前記空隙部と対応する位置に切れ込みを入れ、その切れ込みを入れた部位の外層外被を外側に広げて内部から前記光ファイバケーブルを取り出して切断し、
また、前記外層外被に形成した前記ノッチのうち前記空隙部と対応する位置に切れ込みを入れた部位とはケーブル長手方向で異なる位置に切れ込みを入れ、その切れ込みを入れた部位の外層外被を外側に広げて内部から前記切断した光ファイバケーブルを引き出し、その引き出した光ファイバケーブルを集合住宅の各部屋に引き込む
ことを特徴とする光ファイバケーブルの引き込み方法。
【発明の詳細な説明】
【技術分野】
【０００１】
本発明は、例えば集合住宅における構内配線に使用される偏平光ファイバケーブル及び光ファイバケーブルの引き込み方法に関する。
【背景技術】
【０００２】
例えば、マンション等のような既設集合住宅の中には、光ファイバケーブルを布設すべき新たな配管を布設するスペースが無い場合や、既設配管においても光ファイバケーブルを布設する空きスペースが無い場合がある。
【０００３】
このため、各階層に設置された分線盤より光ファイバケーブルを各住戸まで廊下の天井隅などに沿わせて配線しなければならない。光ファイバケーブルには、例えばインドア型の光ファイバケーブルを連結部を介して複数個連結した構造のものや（例えば、特許文献１）、複数個のインドア型の光ファイバケーブルをテンションメンバと共に外被で被覆して集合させた構造（例えば、特許文献２）のものがある。
【先行技術文献】
【特許文献】
【０００４】
【特許文献１】特開２００８−７０５７３号公報
【特許文献２】特開２００８−２８１８４３号公報
【発明の概要】
【発明が解決しようとする課題】
【０００５】
しかし、特許文献１に記載の光ファイバケーブルでは、光ファイバケーブルが剥き出しであるため、紫外線などの影響を受け易く耐候性が悪い。この一方、特許文献２に記載の光ファイバケーブルでは、外被を切り裂いて内部から光ファイバケーブルを取り出す際に、テンションメンバの周囲を取り囲むようにして複数個の光ファイバケーブルが配列されているため、特定の光ファイバケーブルを見つけにくく取出し難い。
【０００６】
特に、特許文献２に記載の光ファイバケーブルでは、廊下に配線された光ファイバケーブルのうち特定の光ファイバケーブルを取り出して加入者宅へ引き込む際に、既設者の回線を誤って切断しない様、光ファイバケーブルの対照作業が必要となることから布設コストが増加する。これを回避するために、光ファイバケーブルを１本づつ配線することも考えられるが、そうすると作業時間が大幅に長くなってしまう。
【０００７】
そこで、本発明は、耐候性に優れ、また、取出し時に特定の光ファイバケーブルがばらばらになることなく取り出し易く、且つ布設作業を短時間で終了可能とする偏平光ファイバケーブル及び光ファイバケーブルの引き込み方法を提供することを目的とする。
【課題を解決するための手段】
【０００８】
第１の発明は、光ファイバ心線をシースで被覆してなる矩形状の光ファイバケーブルの複数個を一列に配列し、それら複数個の光ファイバケーブルを外層外被で一括して被覆し、その外層外被に前記複数個の光ファイバケーブルを両側から挟み込む位置に抗張力体を配置させた偏平光ファイバケーブルであって、隣接する前記光ファイバケーブル間の少なくとも１ヶ所には、空隙部が形成されており、前記外層外被のうち壁面に接して配線される壁面側の外層外被には、前記空隙部に突出して前記光ファイバケーブルを位置決めする突起部がケーブル長手方向に形成され、また、前記壁面と接しない表面側の外層外被には、前記空隙部と対応する位置にノッチを少なくとも１か所以上ケーブル長手方向に形成したことを特徴としている。
【０００９】
第２の発明は、第１の発明であって、前記表面側の外層外被内面には、前記各光ファイバケーブル間に対応した位置に、ノッチを少なくとも１か所以上ケーブル長手方向に形成したことを特徴としている。
【００１０】
第３の発明は、第１または第２の発明であって、前記空隙部及び前記突起部は、隣接する前記光ファイバケーブル間のそれぞれに形成したことを特徴としている。
【００１１】
第４の発明は、第１から第３の何れか１項の発明であって、前記突起部の高さＨを、前記光ファイバケーブルの厚みをＴとしたときに、該光ファイバケーブルの角部の半径Ｒに対して、Ｒ＜Ｈ＜（１／２）Ｔなる関係としたことを特徴としている。
【００１２】
第５の発明は、第１から第４の何れか１項の発明であって、前記突起部の幅Ｗを、前記光ファイバケーブルの厚みＴに対して（１／２）Ｔ≦Ｗなる関係としたことを特徴としている。
【００１３】
第６の発明は、第１から第５の何れか１項の発明であって、前記空隙部に、吸水部材を設けたことを特徴としている。
【００１４】
第７の発明は、第１の発明から第６の何れか１項に記載された偏平光ファイバケーブルを壁面に接して配線した後、前記外層外被に形成した前記ノッチのうち前記空隙部と対応する位置に切れ込みを入れ、その切れ込みを入れた部位の外層外被を外側に広げて内部から前記光ファイバケーブルを取り出して切断し、また、前記外層外被に形成した前記ノッチのうち前記空隙部と対応する位置に切れ込みを入れた部位とはケーブル長手方向で異なる位置に切れ込みを入れ、その切れ込みを入れた部位の外層外被を外側に広げて内部から前記切断した光ファイバケーブルを引き出し、その引き出した光ファイバケーブルを集合住宅の各部屋に引き込むことを特徴とした光ファイバケーブルの引き込み方法である。
【発明の効果】
【００１５】
本発明によれば、矩形状の光ファイバケーブルの複数個を一列に配列してそれらを外層外被で一括して被覆した構造であるので、この外層外被によって紫外線などの影響を光ファイバケーブルが受け難くなり、耐候性を高めることができる。
【００１６】
また、本発明によれば、光ファイバケーブルの複数個を一列に配列させた偏平光ファイバケーブルとしたので、配列順で光ファイバケーブルを特定することができる。また、本発明によれば、隣接する光ファイバケーブル間の少なくとも１ヶ所には空隙部を形成しており、その空隙部に突出して光ファイバケーブルを位置決めする突起部を壁面側の外層外被に形成しているので、外層外被を引き裂いても前記突起部が光ファイバケーブルを位置決めして該光ファイバケーブルの飛び出しを防止する。
【００１７】
また、本発明によれば、壁面と接しない表面側の外層外被には、空隙部と対応する位置に切欠であるノッチを形成しているので、このノッチを切り裂いてもその部位の下が空隙部であることにより、光ファイバケーブルに傷を付けるのを防止することができる。
【図面の簡単な説明】
【００１８】
【図１】図１は第１実施形態の偏平光ファイバケーブルの横断面図である。
【図２】図２は図１の偏平光ファイバケーブルを壁面に配線した後、特定の光ファイバケーブルを取り出して集合住宅の各部屋に引き込む方法を説明するための図である。
【図３】図３は第２実施形態の偏平光ファイバケーブルの横断面図である。
【図４】図４は第３実施形態の偏平光ファイバケーブルの横断面図である。
【発明を実施するための形態】
【００１９】
以下、本発明を適用した具体的な実施形態について図面を参照しながら詳細に説明する。
［第１実施形態］
図１は第１実施形態の偏平光ファイバケーブルの横断面を示している。この偏平光ファイバケーブル１は、光ファイバ心線２をシース３で被覆してなる矩形状の光ファイバケーブル４の複数個を一列に配列し、それら複数個の光ファイバケーブル４を外層外被５に前記複数個の光ファイバケーブル４を両側から挟み込む位置に抗張力体６、６を配置させた偏平形状をなすケーブルとされている。この偏平光ファイバケーブル１は、既設マンション等の集合住宅における廊下等の壁面（天井壁や軒部分の壁面など）に配線して各住戸へ特定の光ファイバケーブル４を引き込むのに適したものである。
【００２０】
光ファイバケーブル４は、中心に設けられる光ファイバ心線２と、この光ファイバ心線２を挟んでその両側に離間してそれぞれ配置された２本のテンションメンバ７、７を同一直線上に配置してシース３で一体的に被覆してなる矩形状の断面形状とされている。
【００２１】
光ファイバ心線２は、例えば中心に設けられた石英ガラスファイバと、この石英ガラスファイバの周囲に紫外線硬化型樹脂を被覆して形成された外被層とからなる。光ファイバ心線２は、規格上、石英ガラスファイバの外径を直径０．１２５ｍｍ、全体の外径を直径０．２５ｍｍとされる。また、光ファイバ素線２は、心線間の識別性のために、外被層が着色（無色も含む）されている。
【００２２】
２本のテンションメンバ７、７は、光ファイバ心線２を挟んでその両側に離間してそれぞれ配置されている。これらテンションメンバ７、７は、光ファイバケーブル４の中心位置に設けられた光ファイバ心線２と同一線上に設けられている。かかるテンションメンバ７、７は、例えば鋼線や鉄線、銅線などの金属線或いは炭素繊維、アラミド繊維、ガラス繊維を用いたエンジニアリングプラスチックなどからなり、光ファイバケーブル４自体の抗張力体として、また光ファイバケーブル４の曲げ方向をケーブル短辺方向にのみ湾曲させるケーブル曲げ方向規制部材として機能する。
【００２３】
前記シース３には、該シース３を引き裂いて光ファイバ心線２を取り出すためのノッチ８、９が形成されている。前記ノッチ８、９は、何れも光ファイバ心線２と対応した位置に、光ファイバ心線２に向かって先細りになる断面Ｖ字状の溝として形成されている。これらノッチ８、９は、ケーブル長手方向（図１の紙面に対して垂直な方向）に沿って連続して形成されている。
【００２４】
図１では、光ファイバケーブル４の数を４個とし、それらのうち２つの光ファイバケーブル４同士を接触させて一列に配列させている。２個つづに分けられた光ファイバケーブル４は、それらの間に空間部１０を挟んで配置されている。このような配置とする理由は、後述するものとする。
【００２５】
外層外被５は、壁面１１に接する壁面側の外層外被（以下、これを壁面側外層外被５ａという）と、前記壁面１１と接しない表面側の外層外被（以下、これを表面側外層外被５ｂという）と、両端の光ファイバケーブル４と対応する側面側の外層外被（以下、これを側面側外層外被５ｃ、５ｄという）とからなる。
【００２６】
外層外被５は、一列に配列した複数個の光ファイバケーブル４を一括して被覆するように押し出し成形することにより形成される。この時、外層外被５を切り裂いて内部に実装された光ファイバケーブル４を取り出すことができるように、外層外被５は光ファイバケーブル４に対して熱融着で接着されないように被覆されている。
【００２７】
側面側外層外被５ｃ、５ｄには、ケーブル長手方向に沿って抗張力体６、６が設けられている。これら抗張力体６、６は、光ファイバケーブル４の光ファイバ心線２、テンションメンバ７、７と同一線上に配置されている。かかる抗張力体６、６は、例えば鋼線や鉄線、銅線などの金属線或いは炭素繊維、アラミド繊維、ガラス繊維を用いたエンジニアリングプラスチックなどからなり、偏平光ファイバケーブル１自体の抗張力体として、また偏平光ファイバケーブル１の曲げ方向をケーブル短辺方向にのみ湾曲させるケーブル曲げ方向規制部材として、更に鉄線や銅線などの軟らかい金属線を用いた場合には偏平光ファイバケーブル１の曲げ形状保持部材として機能する。
【００２８】
壁面側外層外被５ａには、前記空間部１０に突出して光ファイバケーブル４を位置決めする突起部１２がケーブル長手方向に形成されている。突起部１２の高さＨは、光ファイバケーブル４の角部の半径Ｒ及び光ファイバケーブル４の厚みＴに対してＲ＜Ｈ＜（１／２）Ｔなる関係を満たす高さであることが好ましい。
【００２９】
例えば、（１／２）Ｔ＜Ｈなる関係とした場合は、突起部１２の高さＨが高いために光ファイバケーブル４のつかみ代が少なくなり、該光ファイバケーブル４の取り出しが困難になる。この一方、突起部１２の高さＨを零に近づけ過ぎると、光ファイバケーブル４が突起部１２を乗り越えてしまい、該光ファイバケーブル４の位置決めができなくなる。そのため、突起部１２の高さＨは、最低限光ファイバケーブル４の角部の半径Ｒよりも長い寸法であれば、光ファイバケーブル４が突起部１２を乗り越えることがなく、該光ファイバケーブル４を位置決めすることができる。
【００３０】
また、突起部１２の幅Ｗは、光ファイバケーブル４の厚みＴに対して（１／２）Ｔ≦Ｗなる関係を満たす幅であることが好ましい。突起部１２の幅Ｗは、長ければ長い程、外層外被５で被覆した数ある光ファイバケーブル４の中から特定に光ファイバケーブル４を識別し易くなり、また光ファイバケーブル４を取り出し易くなる。しかし、突起部１２の幅Ｗが余りに大きくなると、偏平光ファイバケーブル１自体の長径が大きくなり過ぎてしまい、美観を損なうことになる。そのため、光ファイバケーブル４の識別性及び取出し性を考慮すると、（１／２）Ｔ≦Ｗなる関係とすることで、これらを満足させることができる。
【００３１】
表面側外層外被５ｂには、空間部１０と対応する位置に切欠であるノッチ１３（以下、これを中央部ノッチ１３という）がケーブル長手方向に形成されている。かかる中央部ノッチ１３は、空間部１０に向かって先細りになる断面Ｖ字状の溝として外層外被表面５ｂ１に形成されている。この中央部ノッチ１３に沿ってカッターなどで切り込みを入れ或いは中央部ノッチ１３部分を下方へ押し込んだ後、表面側外層外被５ｂを左右に引き裂くことで、内部の光ファイバケーブル４を取り出せる。中央部ノッチ１３の真下には、空間部１０が形成されているため、誤ってカッターなどで光ファイバケーブル４を傷付けることを未然に防ぐことができる。このときの表面側外層外被５ｂの切裂き作業で光ファイバケーブル４には外力が作用するが、前記突起部１２により左右２つの光ファイバケーブル４は位置決めをされているため、それらの位置がずれない。
【００３２】
また、表面側外層外被５ｂには、両端の光ファイバケーブル４の角部と対応する部位にも同じく切欠であるノッチ１４（以下、これを端部ノッチ１４という）をケーブル長手方向に形成することができる。かかる端部ノッチ１４は、内面から表面に向かって先細りになる断面Ｖ字状の溝として外層外被内面５ｂ２に斜めに形成されている。この端部ノッチ１４を形成することによって、両端部の光ファイバケーブル４を取り出す際に、前記端部ノッチ１４を起点に表面側外層外被５ｂを引き裂く事が可能になる為、光ファイバケーブル４の角部が表面側外層外被５ｂに挟み込まれて取り出し難くなるのを防止する事が出来る。
【００３３】
また、表面側外層外被５ｂには、空間部１０を挟んでその両側に接して設けた２つの光ファイバケーブル４、４間に対応した位置に、切欠であるノッチ１５（以下、これを間部ノッチ１５という）をケーブル長手方向に形成する事ができる。かかる間部ノッチ１５は、内面から表面に向かって先細りになる断面Ｖ字状の溝として外層外被内面５ｂ２に形成されている。この端部ノッチ１５を形成することによって、中央部ノッチ１３から表面側外層外被５ｂを引き裂いて左右に引き剥がした場合に、この間部ノッチ１５が起点となり表面側外層外被５ｂが折れ曲がるので、両端部の光ファイバケーブル４はこの表面側外層外被５ｂで被覆されたままの状態になる。つまり、両端部の光ファイバケーブル４を取り出す必要性の無いときには、前記間部ノッチ１５の部位で表面側外層外被５ｂの引き裂きを止めて、該光ファイバケーブル４の位置ずれ防止及び保護を図ることができる。
【００３４】
また、空間部１０には、何も無くても良いが、水分を吸収する吸水部材１６を設けるようにすることが望ましい。吸水部材１６を空間部１０に設ければ、外層外被５で被覆された内部の水分を吸収できる。吸水部材１６には、例えば水分を吸収する紐状部材や繊維部材などが使用可能である。
【００３５】
以上のように構成された偏平光ファイバケーブル１によれば、矩形状の光ファイバケーブル４の複数個を一列に配列してそれらを外層外被５で一括して被覆した構造であるので、この外層外被５によって紫外線などの影響を光ファイバケーブル４が受け難くなり、耐候性を高めることができる。
【００３６】
また、この偏平光ファイバケーブル１によれば、光ファイバケーブル４の複数個を一列に配列させた偏平光ファイバケーブルとしたので、配列順で光ファイバケーブル１を特定することができる。また、この偏平光ファイバケーブル１によれば、隣接する光ファイバケーブル４間の少なくとも１ヶ所には空隙部１０を形成しており、その空隙部１０に突出して光ファイバケーブル４を位置決めする突起部１２を壁面側の外層外被５ａに形成しているので、外層外被５を引き裂いても前記突起部１２が光ファイバケーブル４を位置決めして該光ファイバケーブル４の飛び出しを防止する。
【００３７】
また、この偏平光ファイバケーブル１によれば、壁面１１と接しない表面側の外層外被５である表面側外層外被５ｂには、空隙部１０と対応する位置に切欠である中央部ノッチ１３を形成しているので、この中央部ノッチ１３を切り裂いてもその部位の下が空隙部１０であることにより、光ファイバケーブル４に傷を付けるのを防止することができる。
【００３８】
また、この偏平光ファイバケーブル１によれば、突起部１２の高さＨを、光ファイバケーブル４の厚みをＴとしたときに、該光ファイバケーブル４の角部の半径Ｒに対して、Ｒ＜Ｈ＜（１／２）Ｔなる関係としているので、突起部１２を挟んで設けられた光ファイバケーブル４を位置決めすることができる。
【００３９】
また、この偏平光ファイバケーブル１によれば、突起部１２の幅Ｗを、光ファイバケーブル４の厚みＴに対して（１／２）Ｔ≦Ｗなる関係としているので、光ファイバケーブル４が突起部１２を介して左右に分けられることになり、それらの光ファイバケーブル４の識別性が良くなる。また、前記関係であれば、偏平光ファイバケーブル１自体の長径も長くならず、壁面１１に配線した場合に美観を損なわない。
【００４０】
また、この偏平光ファイバケーブル１によれば、端部ノッチ１４を形成することで、両端部の光ファイバケーブル４をより取り出し易くなる。
【００４１】
また、この偏平光ファイバケーブル１によれば、間部ノッチ１５を形成することで、両端部の光ファイバケーブル４を取り出す必要性の無いときには、前記間部ノッチ１５の部位で表面側外層外被５ｂの引き裂きを止めることができ、該光ファイバケーブル４の位置ずれ防止及び保護を図ることができる。
【００４２】
また、この光ファイバケーブル１によれば、空間部１０に吸水部材１６を設ければ、外層外被５で被覆されたケーブル内の水分を吸収することができる。
【００４３】
［光ファイバケーブルの引き込み方法］
次に、第１実施形態の偏平光ファイバケーブル１を壁面１１に接して配線した後、特定の光ファイバケーブル４を集合住宅の各部屋に引き込む方法について説明する。図２は、図１の偏平光ファイバケーブル１から特定の光ファイバケーブル４を取り出して各部屋に引き込む方法を説明するための図である。
【００４４】
偏平光ファイバケーブル１は、例えばマンション等の既設集合住宅の廊下などの壁面に、ケーブル固定手段１７によって配線される。この偏平光ファイバケーブル１から特定の光ファイバケーブル４を各部屋に引き込むには、任意のケーブル部位Ａの中央部ノッチ１３を押し込む或いは中央部ノッチ１３に沿ってカッターで切れ込みを入れる。すると、中央部ノッチ１３の真下には空間部１０が形成されているので、誤って光ファイバケーブル４を傷付けることは起こらない。
【００４５】
そして、切れ込みを入れた任意のケーブル部位Ａの表面側外層外被５ｂを外側に広げて内部から特定の光ファイバケーブル４を取り出して切断する。また、切れ込みを入れた任意のケーブル部位Ａとはケーブル長手方向で異なる位置に切れ込みを入れる。２度目の切れ込みを入れる位置であるケーブル部位Ｂは、光ファイバケーブル４を引き込む部屋と対応する部位であり、ＩＤＦ（Intermediate Distribution Frame：中間配線盤）側である。１度目の切れ込み部位Ａと２度目の切れ込み部位Ｂとの距離は、部屋まで引き込むのに必要な長さとする。
【００４６】
次に、２度目の切れ込み部位Ｂの表面側外層外被５ｂを外側に広げて内部から前記切断した光ファイバケーブル４を引き出す。このとき、４つある光ファイバケーブル４のうち内側２つの光ファイバケーブル４のどちらかである場合は、間部ノッチ１５の位置を起点として表面側外層外被５ｂを図１中線Ｋ１で示すように開く。また、４つある光ファイバケーブル４のうち両端２つの光ファイバケーブル４のうちどちらかである場合は、端部ノッチ１４の位置を起点として表面側外層外被５ｂを図１中線Ｋ２で示すように大きく開く。
【００４７】
そして、引き出した光ファイバケーブル４を所定の部屋に引き込む。この後、切れ込みを入れたケーブル部位Ａ、Ｂには、何らかのカバーを掛けるか、或いはテープを貼って引き裂いた部位を覆うようにする。以上の作業を、各部屋ごとに行う。
【００４８】
この光ファイバケーブルの引き込み方法によれば、光ファイバケーブル４の取り出し時に突起部１２によって各光ファイバケーブル４が移動してばらばらになることなく特定の光ファイバケーブル４を取り出すことができる。また、この引き込み方法を採用することで、布設作業を短時間で終了することが可能となり、布設に要するコストも大幅に低減することができる。
【００４９】
「第２実施形態」
図３は第２実施形態の偏平光ファイバケーブルの横断面を示している。第２実施形態の偏平光ファイバケーブル１は、隣接する光ファイバケーブル４間のそれぞれに空間部１０及び突起部１２を形成した例である。
【００５０】
図３の偏平光ファイバケーブル１では、隣り合う各光ファイバケーブル４間を、それぞれ空間部１０を有して仕切るように突起部１２を設けている。この偏平光ファイバケーブル１によれば、内側の光ファイバケーブル４だけでなく、両端の光ファイバケーブル４を取り出す場合でも、前記空間部１０に指を入れて光ファイバケーブル４をつかむことが容易になる。また、各光ファイバケーブル４間に突起部１２が形成されているので、それぞれの光ファイバケーブル４の位置決めが更に良好になる。
【００５１】
なお、図３では、各空間部１０には、何も配置していないが、図１と同様に吸水部材１０を配置してもよい。
【００５２】
また、第２実施形態の偏平光ファイバケーブル１では、表面側外層外被５ｂには、各光ファイバケーブル４間に対応した位置に、ノッチ（中央部ノッチ１３と間部ノッチ１５）を外層外被表面５ｂ１と外層外被内面５ｂ２に対して交互に形成している。このように、ノッチを外層外被表面５ｂ１と外層外被内面５ｂ２に対して交互に形成すれば、引き剥がす表面側外層外被５ｂが任意の光ファイバケーブル４の真上のみで済むため、美観を保つことができる。
【００５３】
「第３実施形態」
図４は第３実施形態の偏平光ファイバケーブルの横断面を示している。第３実施形態の偏平光ファイバケーブルは、第２実施形態の偏平光ファイバケーブル１とは逆のノッチ形状としている。すわなち、中央部ノッチ１３を外層外被内面５ｂ２に形成し、間部ノッチ１５を外層外被表面５ｂ１に形成している。
【００５４】
この偏平光ファイバケーブル１によれば、両端部の光ファイバケーブル４を取り出す作業が更に容易になる。また、両端部の光ファイバケーブル４を取り出す場合、残りの光ファイバケーブル１は何れも表面側外層外被５ｂで被覆された状態にあるから取り出す光ファイバケーブル２以外の光ファイバケーブル４を傷付けるようなこともない。
【００５５】
以上、本発明を適用した具体的な実施形態について説明したが、本発明は上述の実施形態に限定されることなく種々の変更が可能である。例えば、第１〜第３の実施形態では、何れも中心に光ファイバ心線２を設け、その両側にテンションメンバ７、７を配置し、それらをシース３で被覆したインドア型の光ファイバケーブル４としたが、本発明は、この形態の光ファイバケーブルに限定されるものではない。
【産業上の利用可能性】
【００５６】
本発明は、集合住宅における構内配線に使用されて各住戸に引き込むための偏平光ファイバケーブルに利用することができる。
【符号の説明】
【００５７】
１  偏平光ファイバケーブル
２  光ファイバ心線
３  シース
４  光ファイバケーブル
５  外層外被
６  抗張力体
７  テンションメンバ
１０  空間部
１１  壁面
１２  突起部
１３  中央部ノッチ（ノッチ）
１４  端部ノッチ（ノッチ）
１５  間部ノッチ（ノッチ）
１６  吸水部材
【図１】
0005746083.tif 000002
【図２】
0005746083.tif 000003
【図３】
0005746083.tif 000004
【図４】
0005746083.tif 000005